(57)【特許請求の範囲】
【請求項１】
全熱交換装置および浴室暖房乾燥機が設置された系において、前記全熱交換装置が運転されているときに前記浴室暖房乾燥機の換気装置が作動したとき、前記全熱交換装置の排気ファンの作動を停止し、さらに、前記換気装置の排気量より前記全熱交換装置の吸気量の方が多くなった場合には、前記排気ファンを再び回転させることを特徴とする浴室暖房乾燥機および全熱交換装置の運転方法。
【請求項２】
浴室暖房乾燥機の換気装置の排気を全熱交換装置の排気通路に供給し、熱交換した後屋外に排気させる請求項１記載の浴室暖房乾燥機および全熱交換装置の運転方法。
【発明の詳細な説明】
【０００１】
【発明の属する技術分野】
本発明は、浴室や、脱衣室、洗面所、あるいはトイレなどのいわゆるサニタリーゾーンを利用して洗濯物を乾燥したり、暖房や換気などを行う浴室暖房乾燥機を全熱交換装置の運転と連動させて運転する運転方法に関する。
【０００２】
【従来の技術】
浴室暖房乾燥機は、浴室の天井に埋め込んだり側壁に設置して、浴室内に温風を吹き込むとともに、湿った空気を外部に放出して浴室内を換気することにより衣類を乾燥させている。また、この温風を利用して冬季に浴室内を暖房することも行われている。
【０００３】
一方、居室空間の冷暖房は、浴室暖房乾燥機とは独立して設置された全熱交換装置により行われている。この全熱交換装置は、居室内の空気を吸気口から吸い込み熱交換器を通して屋外に排気し、一方屋外の空気を吸気口から吸い込み熱交換器を通して居室空間内に吹き出すことにより冷暖房を行っている。
【０００４】
【発明が解決しようとする課題】
全熱交換装置の使用時は、室内からの吸気量と屋外への排気量が等しく設定されており、室内の気圧は屋外の気圧とほぼ等しい状態で運転されている。この状態で全熱交換装置とは独立して浴室に配置されている浴室暖房乾燥機が運転されると、浴室暖房乾燥機が浴室やトイレ、脱衣室などの空気を吸入して屋外に排出するので、室内の気圧が低下して負圧状態になることがある。室内が負圧になると、屋外からの空気が居室や浴室、トイレ、脱衣室など設けられた自然換気口から吸気されるが、この場合、全熱交換装置で冷房または暖房して快適な温度や湿度にコントロールされた室内空気の温度や湿度が吸気された外気によって乱されてしまう。この結果室内にいる人は不快感を感じるとともに、浴室暖房乾燥機の運転効率が低下する。
【０００５】
また、浴室暖房乾燥機から排気される空気は暖房または洗濯物乾燥用に使用された空気なので熱を有しており、そのまま排気した場合は室内の熱量を屋外に排出してしまうので冬季には暖房効果を損なうことがある。
【０００６】
本発明は、以上のような課題を解決するもので、全熱交換装置の使用時に浴室暖房乾燥機を運転しても室内が負圧になることを防止することが可能な浴室暖房乾燥機および全熱交換装置の運転方法を提供するものである。
【０００７】
また本発明の他の目的は、浴室暖房乾燥機の換気装置から排気される空気の熱を回収することが可能な浴室暖房乾燥機および全熱交換装置の運転方法を提供するものである。
【０００８】
【課題を解決するための手段】
本発明の運転方法は、上記課題を解決するために、全熱交換装置および浴室暖房乾燥機が設置された系において、前記全熱交換装置が運転されているときに前記浴室暖房乾燥機の換気装置が作動したとき、前記全熱交換装置の排気ファンの作動を停止し、さらに、前記換気装置の排気量より前記全熱交換装置の吸気量の方が多くなった場合には、前記排気ファンを再び回転させるものである。
【０００９】
また、運転方法の他の構成は、全熱交換装置および浴室暖房乾燥機が設置された系において、前記全熱交換装置が運転されているときに前記浴室暖房乾燥機の換気装置が作動したとき、前記全熱交換装置の排気ファンによる排気量を前記換気装置の排気量相当分減少させるものである。
【００１０】
また、運転方法の他の構成は、全熱交換装置および浴室暖房乾燥機が設置された系において、前記全熱交換装置が運転されているときに前記浴室暖房乾燥機の換気装置が作動したとき、前記全熱交換装置の吸気ファンによる吸気量を前記換気装置の排気量相当分増大させるものである。
【００１１】
また、運転方法の他の構成は、全熱交換装置および浴室暖房乾燥機が設置された系において、前記全熱交換装置が運転されているときに前記浴室暖房乾燥機の換気装置が作動したとき、前記全熱交換装置の吸気分岐通路を解放して前記換気装置の排気量相当分外気の吸気量を増大させるものである。
【００１２】
また、運転方法の他の構成は、上記構成において、浴室暖房乾燥機の換気装置の排気を全熱交換装置の排気通路に供給し、熱交換した後屋外に排気させるものである。
【００１３】
【発明の実施の形態】
本発明の運転方法は、全熱交換装置および浴室暖房乾燥機が設置された系において、前記全熱交換装置が運転されているときに前記浴室暖房乾燥機の換気装置が作動したとき、前記全熱交換装置の排気ファンの作動を停止し、さらに、前記換気装置の排気量より前記全熱交換装置の吸気量の方が多くなった場合には、前記排気ファンを再び回転させるので、前記全熱交換装置の使用時に前記浴室暖房乾燥機を運転しても室内が負圧になることを防止することができるという作用を有する。
【００１４】
また本発明による運転方法は、全熱交換装置および浴室暖房乾燥機が設置された系において、前記全熱交換装置が運転されているときに前記浴室暖房乾燥機の換気装置が作動したとき、前記全熱交換装置の排気ファンによる排気量を前記換気装置の排気量相当分減少させるので、前記全熱交換装置の使用時に前記浴室暖房乾燥機を運転しても室内が負圧になることを防止することができるという作用を有する。
【００１５】
また本発明による運転方法は、全熱交換装置および浴室暖房乾燥機が設置された系において、前記全熱交換装置が運転されているときに前記浴室暖房乾燥機の換気装置が作動したとき、前記全熱交換装置の吸気ファンによる吸気量を前記換気装置の排気量相当分増大させるので、前記全熱交換装置の使用時に浴室暖房乾燥機を運転しても室内が負圧になることを防止することができるという作用を有する。
【００１６】
また本発明による運転方法は、全熱交換装置および浴室暖房乾燥機が設置された系において、前記全熱交換装置が運転されているときに前記浴室暖房乾燥機の換気装置が作動したとき、前記全熱交換装置の吸気分岐通路を解放して前記換気装置の排気量相当分外気の吸気量を増大させるので、前記全熱交換装置の使用時に浴室暖房乾燥機を運転しても室内が負圧になることを防止することができるという作用を有する。
【００１７】
また本発明による運転方法は、上記構成において、浴室暖房乾燥機の換気装置の排気を全熱交換装置の排気通路に供給し、熱交換した後屋外に排気させるので、前記浴室暖房乾燥機の換気装置から排気される空気の熱を回収することができるという作用を有する。
【００１８】
以下本発明の実施の形態について、図面とともに詳細に説明する。
【００１９】
（実施の形態１）
図１は住宅内に本発明に使用される全熱交換装置と浴室暖房乾燥機とが設置されたときのダクト配管および動作制御系の一例を示す平面図である。全熱交換装置１１は外気を取り込む吸気ファン１２、室内の空気を屋外へ排気する排気ファン１３および熱交換器１４を有している。吸気ファン１２はダクト１５により屋外吸込口１６に接続され、排気ファン１３はダクト１７により屋外排気口１８に接続されている。また、熱交換器１４はダクト１９を介して各居室の吹出口２０、２１、２２へ接続される。また、ダクト２３により集中吸込口２４と連結される。
【００２０】
浴室暖房乾燥機２５は浴室２６の天井または壁面に設置され、換気装置２７を一体または別体で備えている。換気装置２７には少なくとも３つの吸込口を有しており、１つは浴室２６の吸込口（図示省略）に接続され、他の１つはダクト２８を介して脱衣室２９の吸込口３０に接続され、残りの１つはダクト３１を介してトイレ３２の吸込口３３に接続されている。また、換気装置２７は１つの排気口を有しており、ダクト３４、切替ダンパ３５およびダクト３６を介して屋外排気口３７に連結される。切替ダンパ３５の他方の通路はダクト３８によりダクト２３に連結される。
【００２１】
つぎに、動作を説明する。全熱交換装置１１は吸気ファン１２により屋外吸込口１６から外気を取り込み、熱交換器１４で熱交換した後ダクト１９により各居室の吹出口２０、２１、２２へ供給して各居室の冷暖房を行う。一方住宅内の空気は集中吸込口２４から取り込まれ、ダクト２３により熱交換器１４へ供給され、熱交換器１４で熱回収した後排気ファン１３によりダクト１７を介して屋外排気口１８から屋外へ排気する。
【００２２】
浴室暖房乾燥機２５は、浴室２６内の空気を吸入して熱交換した後浴室２６内に循環させ、浴室２６に温風を吹き出して入浴時には暖房を、洗濯物の乾燥時には洗濯物の乾燥を行う。温風の代わりに冷風を吹き出すことも可能である。
【００２３】
換気したいときは浴室２６内の空気を換気装置２７に供給し、ダクト３４、切替ダンパ３５、ダクト３６を介して屋外排気口３７より屋外へ排気させる。同様に、脱衣室２９の換気は、脱衣室２９の空気を吸込口３０からダクト２８を介して換気装置２７に供給し、ダクト３４、切替ダンパ３５、ダクト３６を介して屋外排気口３７より屋外へ排気させる。トイレ３２の換気は、トイレ３２の空気を吸込口３３からダクト３１を介して換気装置２７に供給し、ダクト３４、切替ダンパ３５、ダクト３６を介して屋外排気口３７より屋外へ排気させる。
【００２４】
全熱交換装置１１が運転中に浴室暖房乾燥機２５の換気装置２７で換気を行う場合は、前述したように室内が負圧になるおそれがある。そこで、本実施の形態においては、全熱交換装置１１が運転中に浴室暖房乾燥機２５の換気装置２７を作動させたとき、制御線３９を介して排気ファン１３の制御装置４０を制御して排気ファン１３の回転を停止させる。この結果、全熱交換装置１１の排気が停止されて室内空気の排気は換気装置２７の排気のみになり、これが全熱交換装置１１の吸気とバランスして室内が負圧になることが防止される。
【００２５】
なお、換気装置２７の排気量より全熱交換装置１１の吸気量の方が多くなった場合には、制御装置４０がそれを検知して排気ファン１３を再び回転させることにより両者のバランスをとることができる。
【００２６】
（実施の形態２）
本実施の形態２においては、実施の形態１における排気ファン１３の回転停止の代わりに、そのときの排気量にあわせて排気ファン１３の回転速度を制御する方法である。すなわち、全熱交換装置１１が運転中に浴室暖房乾燥機２５の換気装置２７を作動させたとき、制御線３９を介して排気ファン１３の制御装置４０を制御して排気ファン１３の回転速度を換気装置２７の排気量にあわせて小さくする。換気装置２７の排気量は換気装置の換気ファンの回転速度により検知できるので、この回転速度を与える電気信号を制御線３９により制御装置４０に供給し、換気装置２７の排気量に相当する排気量だけ全熱交換装置１１の排気量を低減するように排気ファン１３の回転速度を小さくするように制御する。この結果、全熱交換装置１１の排気量と換気装置２７の排気量の和が全熱交換装置１１の吸気量とバランスし、室内が負圧になることが防止される。
【００２７】
（実施の形態３）
本実施の形態３においては、実施の形態１および２における排気ファン１３の回転制御の代わりに、全熱交換装置１１の吸気ファン１２の回転速度を制御する方法である。すなわち、全熱交換装置１１が運転中に浴室暖房乾燥機２５の換気装置２７を作動させたとき、制御線３９を介して吸気ファン１２の制御装置４１を制御して吸気ファン１２の回転速度を換気装置２７の排気量にあわせて大きくする。前述したように、換気装置２７の排気量は換気装置の換気ファンの回転速度により検知できるので、この回転速度を与える電気信号を制御線３９により制御装置４１に供給し、換気装置２７の排気量に相当する排気量だけ全熱交換装置１１の吸気量が増大するように吸気ファン１２の回転速度をおおきくするように制御する。この結果、全熱交換装置１１の排気量と換気装置２７の排気量の和が全熱交換装置１１の吸気量とバランスし、室内が負圧になることが防止される。
【００２８】
（実施の形態４）
本実施の形態４においては、実施の形態３における吸気ファン１２の回転制御の代わりに、全熱交換装置１１の吸気分岐通路を解放する方法である。すなわち、全熱交換装置１１が運転中に浴室暖房乾燥機２５の換気装置２７を作動させたとき、制御線３９を介して吸気分岐通路４２の制御装置４３を作動させる。制御装置４３は吸気分岐通路４２を開閉する電動シャッタと吸気ファン４４の回転速度を制御する制御回路を備えており、換気装置２７を作動させたとき制御信号を受けて電動シャッタが解放され、制御回路が吸気ファン４４を作動させる。この制御回路は換気装置２７の排気量に対応する換気ファンの回転速度を与える電気信号を吸気ファン４４に供給し、換気装置２７の排気量に相当する量の空気量を吸気ファン４４で吸気するように制御する。この結果、全熱交換装置１１の排気量と換気装置２７の排気量の和が全熱交換装置１１の吸気量と吸気分岐通路４２での吸気量の和とバランスし、室内が負圧になることが防止される。
【００２９】
（実施の形態５）
本実施の形態は、以上の各運転方法において、換気装置２７からダクト３４、３６を介して屋外排気口３７より排気される空気に含まれる熱エネルギを熱回収するものである。すなわち、実施の形態１から４のいずれかの方法で運転する際、換気装置２７から排気される空気を切替ダンパ３５によりダクト３８を介してダクト２３に供給し、全熱交換装置１１の熱交換器１４で熱回収した後排気ファン１３によりダクト１７を介して屋外排気口１８から排気する。したがって、換気装置２７の廃熱は確実に回収される。この実施の形態は浴室２６、脱衣室２９およびトイレ３３を暖房する機会の多い冬季において特に有効である。
【００３０】
【発明の効果】
以上のように、本発明の運転方法によれば、全熱交換装置の使用時に浴室暖房乾燥機を運転した場合に、室内が負圧になることを防止することができる。また、浴室暖房乾燥機の換気装置から排気される空気の熱を確実に回収することができる。
【図面の簡単な説明】
【図１】本発明に使用される全熱交換装置と浴室暖房乾燥機とが設置されたときのダクト配管および動作制御系の一例を示す平面図
【符号の説明】
１１  全熱交換装置
１２  吸気ファン
１３  排気ファン
１４  熱交換器
１７  ダクト
１８  屋外排気口
２５  浴室暖房乾燥機
２７  換気装置
４２  吸気分岐通路
【図１】
0003839707.tif 000002